(57)【要約】【課題】本発明は、狭い空間や人工的な環境、たとえば、八百屋の店先、宇宙空間にある人工衛星内等の空間などにおいて植物を生育させる育成装置の開発を課題としている。【解決手段】キャビネット内に、円筒状ドラム７に囲われた回動自在な基板３を設け、この基板上に複数枚のセクタープレート４を放射状に立設して該セクタープレートと前記ドラムの内径とに囲われた楔状のクロースチャンバー５を複数個形成し、さらに、筒状体からなりその側面に植生用開口窓６ａを複数個開口した育成床６を該クロースチャンバー内に立設し、その植生用開口窓に培養土または連続気泡からなる樹脂発泡体に播種して、前記のドラム側に設けた光源８からこの植生用開口窓６ａ側を照射して植物を側面方向に生育、成長させる立体的な育成装置として、狭所においても多数の植物を栽培できるものとした。【選択図】      図１
2005295955.tif 000002
【特許請求の範囲】
【請求項１】
キャビネット内に光源を備え、温度、湿度、炭酸ガス等の植物育成状況を計測し、最適な育成条件維持をコンピュータによりコントロールする植物育成装置において、該キャビネット内に円筒状ドラムで囲われた回動自在な基板を設け、この基板上に複数枚のセクタープレートを放射状に立設して該セクタープレートと前記ドラムの内径とに囲われた楔状クロースチャンバーを複数個形成し、さらに、筒状体からなりその側面に植生用開口窓を複数個開口した育成床（６，６１）を該クロースチャンバー内または育成床（６２）を基板の中心位置に立設したことを特徴とする植物育成装置。
【請求項２】
キャビネット内に光源を備え、温度、湿度、炭酸ガス等の植物育成状況を計測し、最適な育成条件維持をコンピュータによりコントロールする植物育成装置において、該キャビネット内に円筒状ドラムに囲われた回動自在な基板を設け、この基板上に複数枚のセクタープレートを放射状に立設して該セクタープレートと前記ドラムの内径とに囲われた楔状クロースチャンバーを複数個形成し、該クロースチャンバー内に筒状体からなり、その側面に植生用開口窓を複数個開口した育成床（６，６１、６２）を立設し、さらに、前記複数個のクロースチャンバー（５）内を仕切り板（５ａ）でもって上下方向複数個に区画することを特徴とする請求項１記載の植物育成装置。
【請求項３】
キャビネット内を照射する多数の光源（８）が蛍光灯、水銀灯、ナトリウム灯、発光ダイオードまたは白熱灯の内の一種または複数種であって、かつ、キャビネット内の円筒状ドラム側に装着され、該ドラムの中心方向に向かって調光可能に照射することに特徴を有する請求項１または請求項２記載の植物育成装置。
【請求項４】
キャビネット内を照射する光源（８）が蛍光灯、水銀灯、ナトリウム灯、発光ダイオードまたは白熱灯の内の一種または服数種であって、かつ、円筒状ドラムの中心に立設され、透光性材料からなる筒状体に囲障されていることを特徴とする請求項１または請求項２記載の植物育成装置。
【請求項５】
多数の植生用開口窓を開設した筒状体の内径内に、液体用ポンプを介して貯水タンクに接続され、かつ、多数の液体噴出口（３２ａ）をその円周面に開設した潅水用パイプ（２３）が立設されたことを特徴とする請求項１または請求項２記載の育成床。
【請求項６】
筒状体育成床（６１）の下端内径（６Ｄ）に上端外径（６ｄ）が嵌合する直径とし、かつ、その円周面に植生用開口窓（６ａ）と給水口（６ｃ）および排水口（６ｅ）を開設した底（６ｄ）付き筒状体を一ないし複数本接続した構成になることを特徴とする請求項１または請求項２記載の育成床。
【請求項７】
播種し、または発芽した連続気泡からなる発泡体（２２）を、前記クロースチャンバー内に立設した筒状育成床（６２）の植生用開口窓（６ａ）に嵌合し取付けたことを特徴とする請求項１または２記載の植物育成装置。
【請求項８】
筒状育成床の内部に装着した潅水用パイプ（２３）の液体吐出用細孔（２３ｎ）から噴出する水または液肥を溶かした水は、植生用開口窓より上方の該筒状育成床（６２，６３）内面に衝突して反射する飛沫とし、かつ、時間的にインターバルをもって植物の根または培地に潅水することを特徴とする請求項５記載の筒状育成床。
【請求項９】
前記クロースチャンバーに立設した筒状育成床（６）の内部には、育成植物に最適な栄養分を混合した培養土を充填された織り布または不織布等からなる袋体（１６ａ）が装填されていることを特徴とする請求項１または２記載の筒状育成床。
【請求項１０】
育成床内部の湿度測定を、植物の根が進入する媒体の電気抵抗によって行うことを特徴とする請求項５、請求項６記載の筒状育成床。
【請求項１１】
キャビネットに換気扇（１９）を付設したことを特徴とする請求項１記載の植物育成装置。
【発明の詳細な説明】
【技術分野】
【０００１】
本発明は、狭い空間や人工的な環境などにおいて、極端な例としては宇宙空間にある人工衛星内において植物を生育させる得る育成装置に関するものである。
【背景技術】
【０００２】
従来、植物の育成は自然環境のもとで、乃至は、温室やビニールハウス、水耕栽培により行われ、その育成を促進させるために蛍光灯や高圧ナトリウムランプなどの光線照射装置を設置する方法が知られていた。
【０００３】
また、被照射植物のほぼ全周にわたって連続的にまたは断続的に照射方向を変化させて照明を当てる部分と蔭になる部分とを積極的に調整する光線照射装置を採用するものがあった。
【０００４】
また、キャビネット内の天井面近くに光源として蛍光灯を設置し、植物の生体情報または成長量を測定し、前記光源の光強度を調節するという植物育成装置が開示されている。
【０００５】
さらには、断熱壁で囲まれたキャビネットの上面等に照明窓を設け、ここに制御手段を有するＬＥＤ照明具を設置すると共に該キャビネット内での植物育成状況を検出するセンサーと育成環境監視手段を付加した植物育成装置が開示されているが、主として植物の育成条件の調査研究用に使用されているようである。
【特許文献１】特開平０８−２２８５９７号公報（図８）
【特許文献２】特開２００１−２５１９６１号公報（図１）
【特許文献３】特開２００３−７９２５４号公報（図１）
【発明の開示】
【発明が解決しようとする課題】
【０００６】
前記の植物育成装置において、植生面は何れも平面的であって多量生産システムではなかった。これに対して本発明は、宇宙ステーションなどのように限定された空間、すなわち小面積、かつ、物質環境の制限された中においても植物の育成を可能にし、さらには、品種および生長速度の異なる植物体の育成を同じ生育装置内で同時に栽培可能とすることを課題とする。
【０００７】
また、通常の植物栽培が重力支配下でなされ得るものであるのに対して、この重力の影響を排除し、植物の成長管理を完全自動化することをも課題とする。
【課題を解決するための手段】
【０００８】
本発明に係る植物育成装置の請求項１の発明においては、キャビネット内に光源を備え、温度、湿度、炭酸ガス等の植物育成状況を計測し、最適な育成条件維持をコンピュータによりコントロールする植物育成装置において、該キャビネット内に円筒状ドラムに囲われた回動自在な基板を設け、この基板上に複数枚のセクタープレートを放射状に立設して該セクタープレートと前記ドラムの内径とに囲われた楔状のクロースチャンバーを複数個形成し、さらに、筒状体からなりその側面に植生用開口窓を複数個開口した育成床を該クロースチャンバー内に立設する構成として、円周方向および上下方向に、それぞれ複数段にわたって植生できるものとした。
【０００９】
請求項２の発明においては、前記放射状に区画されたクロースチャンバーを、さらに、その両側のセクタープレート間に一ないし複数枚の仕切り板を係合することにより上下方向に区画し、個室化された数段の育成室を形成できるものとした。
【００１０】
請求項３の発明においては、キャビネット内を照射する光源が蛍光灯、水銀灯、ナトリウム灯、発光ダイオードまたは白熱灯の一ないしそれらの２以上の組合せであって、前記光源が円筒状ドラムの内側面から該ドラムの中心方向に照射し、かつ、調光可能に装着されている構成とした。
【００１１】
請求項４の発明においては、キャビネット内を照射する光源が蛍光灯、水銀灯、ナトリウム灯、発光ダイオードまたは白熱灯の内の一種または服数種であって、該光源が円筒状ドラムの中心に立設され、透光性材料からなる筒状体に囲障されていることとし、すべてのチャンバーを均等に照射するものとした。
【００１２】
請求項５の発明においては、多数の植生用開口窓を開設した筒状体からなる育成床を、育成室内の基板面からほぼ天井の高さまでを一体として立設し、この筒状体育成床の内径内に、円周面に多数の液体噴出口を開設し、かつ、液体用ポンプを介して貯水タンクに接続された潅水用パイプを装着することを手段として、該筒状育成床の全周面に植生された植物に対応して３６０度潅水が可能にした。
【００１３】
請求項６の発明においては、前記育成床が、底付き筒状体でその円周面に植生用開口窓と給水口および排水口を開設し、かつ、その筒状体の上端外径が下端の内径に挿通嵌合する構造としたことにより、各植生植物に対する培養土が個別化され、その培養土の自重による固化がなくなる。
【００１４】
請求項７の発明においては、播種し、または発芽した連続気泡からなる発泡体を、前記クロースチャンバー内に立設した筒状育成床の植生用開口窓に嵌合し取付けることを手段として、植物が水平方の光源に向かい生長することを容易にした。
【００１５】
請求項８の発明においては、筒状育成床の内部に装着した潅水用パイプから噴出する水または液肥を溶かした水は、植生用開口窓より上方の該筒状育成床内面に衝突して反射する飛沫とし、かつ、時間的にインターバルをもって植物の根または培地に潅水することとし、過剰潅水による根腐れを防止した。
【００１６】
請求項９の発明においては、前記クロースチャンバーに立設した筒状育成床の内部に、育成植物に最適な栄養分を混合した培養土１６を充填した織り布または不織布等からなる袋体（１６ａ）が装填される構成として、培養土の漏出を防止した。
【００１７】
請求項１０の発明においては、育成床内部の湿度測定を、植物の根が進入する媒体の電気抵抗を測定することを手段として行い、媒体が乾燥状態時のみに潅水する、いわゆるインターバル潅水を行うものとした。
【００１８】
請求項１１の発明においては、キャビネットに換気扇を付設して外気を導入することを可能にし、例えば、宇宙ステーション内での室内空気を本装置に導入することにより炭酸ガスの補給を可能にし、或いは、前記各チャンバーないし個室化した育成室内の温度、湿度を最適にすることにも利用できるものとした。
【発明の効果】
【００１９】
この発明においては、限定された装置内で適切な光度に調整されたライトが円周方向から中心方向に向かって、或いは、中心から拡散光として植生用開口窓の方向を照射することになり、植物は該光源に向かって成長することになり、したがって、地球の引力の影響を受けない。この植物育成装置はすべての植物、食用キノコ等の栽培に適用することが可能であり、さらに広範囲な特殊的環境、例えば、寒冷化の極地や潜水艦、宇宙ステーション、地中、海中などの隔離された状況においても利用できて常に新鮮な野菜の取得が可能になる。
【００２０】
本発明に係る植物育成装置内のクロースチャンバーを縦横に細分化して個室化したことにより、環境条件を個別に管理し保持することが可能となった。したがって、この装置内では生育条件の異なる数種類の植物が同時に栽培できることになる。
【００２１】
また、一般的な用途としては、野菜販売業者が自ら店頭で野菜を生産して販売することが可能であり、また特殊な細瑾類の育成、その他植物類の生産管理に最適である。また、温度、湿度、雰囲気などの調整のみならず、植物体の育成のために必要な培地の最適条件保持をコンピュータによってコントロールすることが可能で、栽培知識を不要とするものである。
【発明を実施するための最良の形態】
【００２２】
本発明の植物育成装置１は、キャビネット２の内部に円盤状の回転基板３を水平に装着し、その回転基板３上に複数枚のセクタープレート４，４を放射状に立設することによって楔状に仕切られたクロースチャンバー５，５を形成し、かつ、このセクタープレート４，４間すなわちクロースチャンバー５，５内に、多数の植生用開口窓６ａ、６ａ（図３）を開設した筒状育成床６を立設し、さらに前記セクタープレート４，４の外周部と共に回転基板３をも囲障する一部開口７ａのドラム７を立設する。この各クロースチャンバー５，５内を照射するための電源を伴った光源８が前記ドラム７側に装着され、植物用培地の湿度調整のため水槽１０とポンプおよび注水口１１、生育環境調整のためのエアーコンデショナー２０、温度、湿度の計測器、植物の生育状況計測器等をも備え、これら植物生育に適した環境条件保持のための制御をコンピュータ１３に行わせるものとした。
【実施例】
【００２３】
本発明に係る植物育成装置の実施例について図面を参照して説明する。図面は本装置の実施の形態を示したもので図1は本装置本体の中央縦断面図、図2はその横断面図、図3は筒状体になる育成床を示した部分断面図、図４は接続構成の育成床を示した斜視図、図５は実施例二の植物育成装置の中央縦断面図、図６は実施例二の植物育成装置を中央横断面で示し、図７は第二の実施例における筒状育成床の一部を示した断面図、図８は実施例三の植物育成装置を示す中央縦断面図である。
【００２４】
図１は、本発明植物育成装置の一例を中央縦断面図により示したもので、望ましくは断熱性素材からなるキャビネット２を上下に区画して仮に上方を育成室２ｕ、下方を調整機器室２ｄとする。その上方の育成室２ｕには正面に植物の出し入れ用窓２ａが開設され、その前面に覗き窓９ａを有する扉９が開閉自在に軸支されている。
【００２５】
この育成室２ｕの下端の中心位置に設けた支持軸１４に円盤状基板３が回転自在に嵌合されている。この円盤状基板３は手動で回転するものとしてもよく、また、例えば円盤状基板３の裏面側にプーリー１２を装着し図示していない駆動装置にベルト１２ａを介して接続しても良い。この円盤状基板３の上面には複数枚のセクタープレート４，４が放射状に立設されて該空間を楔状に仕切り、内径側が開口状のクロースチャンバー５，５を形成している。さらに、このクロースチャンバー５，５内を上下方向に区切る着脱自在な仕切り板５ａが育成植物の背丈または枝葉の拡がりに応じて装着可能にされている。また、各クロースチャンバー５内には温度計、湿度計および照度計が適所に設置されて、制御用コンピュータ１３に接続されている。
【００２６】
このセクタープレート４，４が立設された前記の基板３を取り囲むように一部開口７ａしたドラム７が前記の育成室２ｕ内に設置され、そのドラム７の内壁面には蛍光灯、水銀灯、ナトリウム灯、発光ダイオードまたは白熱灯などの一種または複数の光源８が多数装着されて図示していない電源に接続され、その照度をコンピュータ１３により制御するものとしている。なお、図１，２などには光源８がドラム７外に設置され、ドラム側面の開口部からドラム内を照射している状態を示しているが、光源の位置はそのいずれでも良いことは勿論である。
【００２７】
前記の各クロースチャンバー５には図１に示すように、植生用開口窓６ａを多数開口し、布製袋体１６ａ内に培養土１６を充填した育成床６が各セクター５上に各１本、前記基板３上から植物育成装置１の天井近くに達するように装着されている。この育成床６の給水口６ｃには給水ノズル１１を近接せしめて潅水（図３（ａ））し、または、該植物育成装置内に設けた噴霧ノズル１１ｓの直下にまで該育成床６を移動（図３（ｂ））させて潅水することを可能にしている。
【００２８】
また、図４に示す育成床６１は、図１に植物育成装置１の中心より右側に装着した状態を示したもので、育成床６１は下端の大径部６Ｄの内径と上端外径６ｄが嵌合し合う筒状体とし、かつ、底板６ｂを有し、正面に植生用開口窓６ａを、裏面に給水口６ｃ、排水口６ｅを開設した構成で、内径内に培養土１６を装填し、前記同様に植生用開口窓６ａが光源側に向かうようにして各クロースチャンバー５内に立設される。この場合、ポンプを介して水槽に接続されたホースＨが各給水口６ｃに導入されて必要時に潅水される構造としている。
【００２９】
図５に示した植物育成装置１における育成床６２は、円周面に植生用開口窓６ａを周方向ならびに軸方向に多数開設し、かつ、その育成床６２の中心に、多数の液体吐出用細孔２３ｎ，２３ｎを開口させた給水管２３が立設された構成になるもので、この育成床６２を１本のみ、前記の基板３の中心位置に立設し、前記給水管にはポンプを介して水槽および図示しないに液肥タンクに接続され、液体吐出用細孔２３ｎから噴出する水または液肥Ｗが育成床６２の内面に衝突して飛沫として反射し、植物の根の近傍に潅水することになる。なお、上記では育成床６２の中心に給水管２３を立設し、その育成床６２の全周面に植生用開口窓６ａを形成するものたしたが、給水管２３を育成床６の一方の内壁面に近接して設置し、その対称にのみ、植生用開口窓６ａを形成しても良いことは勿論である。
【００３０】
植物生育に必要な湿度をコントロールするために、前記の植生用開口窓６ａから該培養土１６に電極Ｅを挿通し、これに接続した電気抵抗測定器Ｒ（図３）により培養土の電気抵抗が計測される。この計測値と予め記憶させた基準値との比較をコンピュータ１３が行い、抵抗値が大になると水または液肥が与えられる。この計測は、図示していないタイマーを介し，或いは、パルス発信器Ｐを付設して定期的に信号を送ることにより行なうことにしている。なお、適当なインターバルをもって人為的に潅水することも可能である。前記図３の（ａ）は電極を植物の根に近接した位置に設置したもの、（ｂ）は育成床６の上端と下端と間隔を広くして設置したものである。
【００３１】
キャビネット２の下方、すなわち調整機器室２ｄには液肥および水用の水槽１０が設置され、ポンプ１５を介して育成室２ｕにまで延伸された注水口１１を経て前記植生用開口窓６ａに（図３（ａ））、または、育成床６の上端から噴霧ノズル１１ｓを介して潅水可能としている（図３（ｂ））。この図３（ａ）の注水口１１は、たとえば支持軸１４の中心に立設したポール１７に昇降自在に取付けて、コンピュータ１３制御により給水の必要な植生用開口窓６ａの高さにまで移動させ、一方、基板３を回動させて潅水の必要な植生用開口窓６ａを該注水口１１の直前に誘導することもこも可能であり、また、図３（ｂ）の噴霧ノズル１１ｓはそれぞれの育成床６の上部に１個を設置し、基板３を回転させて育成床６の上端を注水口１１ｓの直下に誘導して液肥等を噴霧する構成としているが、各育成床６の上部に注水口１１ｓを配置しても良い。
【００３２】
植物の生育には光合成が伴うが、これに必要とされるのが炭酸ガスである。キャビネット内に炭酸ガス測定用センサーを設置し、その情報をえて、たとえば調整機器室２ｄ内に装着した膜体内の濃縮炭酸ガス１８を放出することによって補給する。また、本発明に係る植物育成装置は使用場所の一つとして宇宙ステーション内を予定しており、この宇宙ステーション内には人間が排出する二酸化炭素があり、キャビネット２の一部に換気扇１９を取り付けてその宇宙ステーション内の空気を導入することで補給することを可能にしている。さらに、エアーコンデショナー２０も装着されてコンピュータ１３の指示によりクロースチャンバー５内の最適温度維持を図っている。
【００３３】
また、植物の生育程度に応じて照度の設定が必要である。これに関しては装置内を直接に、またはＣＣＤカメラ等による撮影映像を目視して判定する。なお、光源８に対して植物の反対側の照度を測定することによって該植物の成長度合いを推測し、或いは、植物の葉の葉緑素による反射光量の差を計測してこれらに数値をコンピュータ１３により解析し、前記光源８の照度を調節することも可能である。これによって、植物は、自然条件の下に生育するのと同様の栽培が可能になる。
【００３４】
図５および図６には、本発明植物育成装置の第二の実施例を示したもので、前記図１においては、それぞれのクロースチャンバー５に育成床６を各１本立設したが、この図５，図６では基板の中央にやや太くその円周面に多数の植生用開口窓６ａを開設した育成床６２で、前記のように内径内に潅水用パイプ２３を内装したものである。
【００３５】
前記、図５、図６、図７に示すように、植物培地として連続気泡になる樹脂などの発泡体を用い、これに播種し、または播種後発芽した状態で該発泡体を裁断して、前記の植生用開口窓６ａに挿通し保持される。このようにして育成床６２の内径内に突出する発泡体には、前記の潅水用のパイプ２３の液体噴出孔２３ｎから噴出された水または液肥が育成床６の内面に衝突し、跳ね返った飛沫が植物の根またはその近傍に落下して湿度または栄養分を供給する（図７）ことになる。
【００３６】
図８は本発明植物育成装置の第三の実施例を示したものである。この装置３０の説明には前記第一の実施例と重複する部分を省略する。この装置３０において、キャビネット２の上方育成室２ｕには、ドラム７に囲まれた基板３が回動自在に軸支されており、コンピュータ１３に制御された駆動装置によって適時に回動させられる子とは前記と同様である。その基板３の上面中心位置にアクリル樹脂などの透光性材料からなる筒状体２１で囲障された蛍光灯などの光源２２が上下方向に立設されており、その光度はコンピュータ１３により調節可能にされている。
【００３７】
この透光性筒状体２１の外周から基板３の外周に達する複数枚のセクタープレート４，４が放射状に立設されて該基板上の空間を楔状に仕切りクロースチャンバー５，５が形成されている。このクロースチャンバー５に、筒状体の育成床６がその該植生用開口窓６ａを光源側に向けて立設されている。この育成床６の媒体への潅水用注水口１１は前記透光性筒状体２１の外径近傍に立設したポール１７にその基部を螺合させるなどにより上下動自在とし、コンピュータ１３によりその上下動を制御する。
【００３８】
このクロースチャンバー５，５内を上下方向に区切る着脱自在な仕切り板５ａが植物の背丈または枝葉の拡がりに応じて装着されること、そのクロースチャンバー５内の温度、湿度その他植物生育環境条件の測定、植物の生育媒体の湿度測定と潅水等の装置およびコンピュータ１３による制御、換気扇の設置は前記第１の実施例と同様である。
【００３９】
以上の構成になる本発明植物育成装置１において、育成床６に播種し、あるいは、生育した植物の採取などの人工的なアクセスは前記の扉９を開放し、キャビネット２に開口する窓２ａからなされる。
【産業上の利用可能性】
【００４０】
植物は、光源の所在方向に伸びるものである。本発明に係る植物育成装置が播種土壌としての育成床６に対して水平方向に光源を設置したことにより、植物は該光源の方向に伸び生育することになる。したがって、狭い面積すなわち、育成床６から外壁としてのドラムまでの距離は生育植物の背丈に見合う程度で育成できることから、設置面積を小さくして上下方向に長い装置にすれば多量の植物が栽培することが可能であり、宇宙ステーション内など、特殊環境下での使用が可能である。
【００４１】
また、設置面積が小さいことから、野菜などを販売する小規模商店においても、その軒先に設置して野菜を育成し、客の要望に応じてこれを採取し、即時に販売することも可能で新鮮さをアピールする商売が成立する。
【図面の簡単な説明】
【００４２】
【図１】本発明に係る植物育成装置一例を示した中央縦断面図である。
【図２】植物育成装置の横断面図である。
【図３】筒状体になる育成床を示した部分断面図で（ａ）はある。
【図４】接続構成になる育成床の斜視図である。
【図５】第二の実施例に係る植物育成装置を中央縦断面で示した図である。
【図６】第二の実施例に係る植物育成装置を中央横断面で示した図である。
【図７】第二の実施例における筒状体育成床の一部を示した断面図で（ａ）は給水管を育成床の中心に、（ｂ）は偏芯させて立設した例である。
【図８】第三の実施例に係る植物育成装置を中央横断面で示した図である。
【符号の説明】
【００４３】
１  植物育成装置
２  キャビネット
３  円盤状基板
４  セクタープレート
５  クロースチャンバー
６，６１，６２、６３  育成床
７  ドラム
８  光源
９  扉
１０  水槽
１１  注水口
１２  ポンプ
１３  コンピュータ
１４  支持軸
１５  ポンプ
１６  培養土
１８  濃縮炭酸ガス
１９  換気扇
２０  エアーコンデショナー
２１  透光性筒状体
２２  発泡体
２３  潅水用パイプ
【図１】
2005295955.tif 000003
【図２】
2005295955.tif 000004
【図３】
2005295955.tif 000005
【図４】
2005295955.tif 000006
【図５】
2005295955.tif 000007
【図６】
2005295955.tif 000008
【図７】
2005295955.tif 000009
【図８】
2005295955.tif 000010